(57)【要約】【課題】各種複数の操作スイッチを有する表示装置付き電機冷蔵庫に関し、表示素子に表示された内容でしか運転状態を確認できない為、運転状態を選択する場合、誤って次ステップ以外のスイッチを押してしまった場合は初期の画面に戻り、操作性が複雑かつ分かり難いという欠点があったので、操作スイッチの誤操作を抑え各スイッチ個々の操作音で操作者へ正規操作の誘導を図る。【解決手段】動作状態選択スイッチ部および特殊機能選択スイッチ部のいずれかのスイッチ入力があった時、音発生手段B３３と音発生手段C３４と音発生手段D３５で発音素子２２より操作音の長さおよび操作音の発生する回数を個々に変更するようにしたものであり、操作性が単純かつ分かり易くなるので誤操作を抑えることができる。【選択図】図１
2005090812.tif 000002
【特許請求の範囲】
【請求項１】
冷蔵庫内を冷却する冷却ユニットと、前記冷却ユニットを運転制御するコントローラと、前記コントローラに接続された、前記コントローラの運転状態を選択および決定させる少なくとも２つ以上のスイッチを有する運転状態選択スイッチ部と、前記運転状態選択スイッチ部以外の特殊機能を選択決定する少なくとも１つ以上のスイッチを有する特殊機能選択スイッチ部と前記運転状態選択スイッチ部および特殊機能選択スイッチ部による操作内容を表示させる表示素子と、前記複数のスイッチのうちいずれかの入力があったとき操作音を発生させる発音素子とを有する表示装置を具備した冷蔵庫において、押されたスイッチによって前記発音素子より操作音の長さおよび操作音の発生する回数を個々変更するように制御することを特徴とする表示装置付き冷蔵庫。
【請求項２】
前記運転状態選択スイッチ部の運転状態を選択するスイッチによりコントローラの運転状態を選択している最中に、前記特殊機能選択スイッチ部のスイッチを押した時のみ前記発音素子より警告音を発生させるように制御することを特徴する請求項１に記載の冷蔵庫。
【請求項３】
前記運転状態選択スイッチ部の運転状態を選択するスイッチによりコントローラの運転状態を選択している最中に、前記特殊機能選択スイッチ部のスイッチを押した時のみ前記表示装置上に有する発光素子より警告点灯または警告点滅させるように制御することを特徴する請求項２に記載の冷蔵庫。
【請求項４】
前記運転状態選択スイッチ部の運転状態を選択するスイッチによりコントローラの運転状態を選択している最中に、前記特殊機能選択スイッチ部のスイッチを押しても、前記表示素子の表示内容を保持しておくように制御することを特徴する請求項２に記載の冷蔵庫。
【請求項５】
前記運転状態選択スイッチ部の運転状態を決定するスイッチにより運転状態を決定された時のみ前記発音素子より運転状態決定音を発生させるように制御することを特徴する請求項１に記載の冷蔵庫。
【請求項６】
前記運転状態選択スイッチ部の運転状態を決定するスイッチにより運転状態を決定された時のみ前記表示装置上に有する発光素子より運転状態決定点灯または運転状態決定点滅させるように制御することを特徴する請求項５に記載の冷蔵庫。
【発明の詳細な説明】
【技術分野】
【０００１】
本発明は一般家庭用冷蔵庫の表示装置に関するものである。
【背景技術】
【０００２】
近年、冷蔵庫は、前面に表示装置を備えたものがある。（例えば、特許文献１参照）
図１３は、従来の表示装置付き冷蔵庫を示すものである。図１３に示すように、１は冷蔵庫本体で外箱２、内箱３、及び前記外箱２と前記内箱３間に充填された断熱材４より構成されている。５は区画壁で、前記冷蔵庫本体１の内部を上下に区画し、最下部に冷凍室６、最上部に冷蔵室７を区画形成している。８は冷却器で、前記冷凍室６の背面に備え、冷凍サイクルの一部を形成している。９は前記冷凍室６内に設置された庫内温度検出用サーミスタ１０より庫内温度を検出する庫内温度検出手段であり、１１は前記庫内温度検出手段９の検出した温度が設定温度以上であるかどうかを判定する庫内温度判定手段である。１２は冷凍サイクルの圧縮機１３を動作させる圧縮機駆動手段である。１４は前記庫内温度検出手段９や庫内温度判定手段１１や圧縮機駆動手段１２から冷凍サイクルを制御するコントローラである。１５は前記コントローラ１４に接続された表示装置である。
【０００３】
また、図１５は、従来の表示装置付き冷蔵庫の表示装置ブロック図である。図１５に示すように、１６は冷蔵庫の運転状態を選択する選択スイッチ１７と、選択スイッチ１７によって選択された機能を決定する決定スイッチ１８などを有する運転状態選択スイッチ部である。１９は運転状態選択スイッチ部１６以外の冷蔵庫の特殊機能を選択する特殊機能選択スイッチ２０などを有する特殊機能選択スイッチ部である。２１は表示素子である。２２は発音素子である。２３は発光素子である。２４は選択スイッチ１７からの入力を検出し入力の有無判定する運転状態選択検出判定手段である。２５は運転状態選択検出判定手段２４によって決定される表示内容を表示素子２１に表示する表示手段Ａである。２６は運転状態選択スイッチ部１６あるいは特殊機能選択スイッチ部１９のいずれかのスイッチが押された場合発音素子２２に音を発生させる音発生手段Ａである。２８は特殊機能選択スイッチ２０からの入力を検出し入力の有無判定する特殊機能検出判定手段である。２７は運転状態選択検出判定手段２４および特殊機能検出判定手段２８からの入力が無かった場合の表示内容を表示素子２１に表示する表示手段Ｂである。２９は特殊機能検出判定手段２８によって決定される表示内容を表示素子２１に表示する表示手段Ｃである。３０は決定スイッチ１８からの入力を検出し入力の有無判定する運転状態決定検出判定手段である。３１は運転状態決定検出判定手段３０によって決定される表示内容を表示素子２１に表示する表示手段Ｄであるである。３２はコントローラ１４への信号送信手段である。
【０００４】
以上のように構成された表示装置付き冷蔵庫の、まず圧縮機１３の動作について、図１４のフローチャートを参照しながら以下その動作を説明する。
【０００５】
最初にステップ１で庫内温度検出手段９が冷凍室内６に設置された庫内温度検出用サーミスタ１０より庫内温度を検出する。次に、ステップ２で庫内温度判定手段１１は庫内温度検出手段９が検出した温度が設定温度より高いか低いかを判断し、高ければステップ３で圧縮機駆動手段１２が圧縮機１３を動作させステップ１に戻る。しかし、ステップ２で庫内温度が低いと判断すればステップ４に進み圧縮機駆動手段１２で圧縮機１３を停止させステップ１に戻る。このサイクルを繰り返し庫内冷却を行っている。
【０００６】
次に表示装置について、図１６のフローチャートを参照しながら以下その動作を説明する。
【０００７】
まず最初に、ステップ１０１で運転状態選択スイッチ部１６あるいは特殊機能選択スイッチ部１９のいずれのスイッチ入力も無かった場合の内容を表示素子１９に表示させステップ１０２へ進む。ステップ１０２で選択スイッチ１６が押されたかどうか判断し、選択スイッチ１６が押されるとステップ１０３へ進み、選択スイッチ１６が押されなければステップ１０７へ進む。ステップ１０３で表示素子１９にスッテプ１０３で選択された運転状態の内容を表示しステップ１０４へ進む。ステップ１０４で発音素子２１よりスイッチ押時発生音を発生しステップ１０５へ進む。ステップ１０５では、特殊機能選択スイッチ２０が押されたかどうか判断し、特殊機能選択スイッチ２０が押されるとステップ１０６へ進み、特殊機能選択スイッチ２０が押されなければステップ１１２へ進む。ステップ１０６で発音素子２１よりスイッチ押時発生音を発生しステップ１０１へ戻る。ステップ１０７では、特殊機能選択スイッチ２０が押されたかどうか判断し、特殊機能選択スイッチ２０が押されるとステップ１０８へ進み、特殊機能選択スイッチ２０が押されなければステップ１０１へ戻る。ステップ１０８で表示素子１９にスッテプ１０７で選択された運転状態の内容を表示しステップ１０９へ進む。ステップ１０９で発音素子２１よりスイッチ押時発生音を発生しステップ１１０へ進む。ステップ１１０では、選択スイッチ１６が押されたかどうか判断し、選択スイッチ１６が押されるとステップ１１１へ進み、選択スイッチ１６が押されなければステップ１１２へ進む。ステップ１１１で発音素子２１よりスイッチ押時発生音を発生しステップ１０１へ戻る。ステップ１１２では、決定スイッチ１８が押されたかどうか判断し、決定スイッチ２０が押されるとステップ１１３へ進み、決定スイッチ２０が押されなければステップ１１６へ進む。ステップ１１３で表示素子１９にスッテプ１１２で決定された運転状態の内容を表示しステップ１１４へ進む。ステップ１１４で発音素子２１よりスイッチ押時発生音を発生しステップ１１５へ進む。ステップ１１５でステップ１１４迄で決定された運転内容をコントローラ１４に運転状態変更の信号を送りステップ１０１へ戻る。ステップ１１６では、選択スイッチ１６が押されたかどうか判断し、選択スイッチ１６が押されるとステップ１１７へ進み、選択スイッチ１６が押されなければステップ１１８へ進む。ステップ１１７で発音素子２１よりスイッチ押時発生音を発生しステップ１０１へ戻る。ステップ１１８では、特殊機能選択スイッチ２０が押されたかどうか判断し、特殊機能選択スイッチ２０が押されるとステップ１１９へ進み、特殊機能選択スイッチ２０が押されなければステップ１１２へ戻る。ステップ１１９で発音素子２１よりスイッチ押時発生音を発生しステップ１０１へ戻る。
【特許文献１】特開平３−１５８６８０号公報
【発明の開示】
【発明が解決しようとする課題】
【０００８】
しかしながら、上記従来の構成では冷蔵庫の表示装置において、表示素子に表示された内容でしか運転状態を確認できないので、スイッチ操作の誤りに気付き難いという課題を有していた。また操作運転状態を選択スイッチにて選択する場合、誤って特殊機能選択部のスイッチを押してしまった場合は初期表示であるスイッチ入力無し状態の表示に戻るので、操作性が複雑かつ分かり難いという課題を有していた。また選択された運転状態を決定するスイッチを押していない場合はそのまま選択する前の運転状態で放置され、操作が不充分であるということが操作者に伝わり難いので、誤動作と間違われるという課題を有していた。
【０００９】
本発明は上記従来の課題を解決するもので、冷蔵庫の表示装置上のスイッチにて運転状態を選択および決定する際、個々のスイッチを別々の音で判別でき、冷蔵庫の運転状態の変更操作を単純かつ分かり易く、また操作者へ運転状態変更設定完了の十分な報知ができる冷蔵庫の表示装置を提供するものである。
【課題を解決するための手段】
【００１０】
上記従来の課題を解決するために、本発明の冷蔵庫は、押されたスイッチによって発音素子より操作音の長さおよび操作音の発生する回数を個々変更するようにしたものである。
【００１１】
これにより、各スイッチの運転状態の変更操作が分かり易くできる。
【００１２】
また、本発明の冷蔵庫は、運転状態選択スイッチ部の運転状態を選択するスイッチによりコントローラの運転状態を選択している最中に、特殊機能選択スイッチ部のスイッチを押した時のみ前記発音素子より警告音を発生させるようにしたものである。
【００１３】
これにより、スイッチ操作が誤りであるという警告を行ない、操作者にスイッチ操作の変更を促すと共に正規の操作へ導くことができる。
【００１４】
また、本発明の冷蔵庫は、運転状態選択スイッチ部の運転状態を選択するスイッチによりコントローラの運転状態を選択している最中に、特殊機能選択スイッチ部のスイッチを押した時のみ前記表示装置上に有する発光素子より警告点灯または警告点滅させるようにしたものである。
【００１５】
これにより、視覚的にスイッチ操作が誤りであるという警告を行ない、操作者にスイッチ操作の変更を促すと共に正規の操作へ導くことができる。
【００１６】
また、本発明の冷蔵庫は、運転状態選択スイッチ部の運転状態を選択するスイッチによりコントローラの運転状態を選択している最中に、特殊機能選択スイッチ部のスイッチを押しても、表示素子の表示内容を保持しておくようにしたものである。
【００１７】
これにより、操作者に最初からスイッチ操作をやり直させることなく正規の操作へ導くことができる。
【００１８】
また、本発明の冷蔵庫は、前記運転状態選択スイッチ部の運転状態を決定するスイッチにより運転状態を決定された時のみ前記発音素子より運転状態決定音を発生させるようにしたものである。
【００１９】
これにより、操作者に運転状態の切り替え設定完了を報知することができる。
【発明の効果】
【００２０】
本発明の冷蔵庫は、個々のスイッチを押した時、操作音の長さおよび操作音の発生する回数を個々に変更させることで表示装置操作者に表示素子に表示された内容だけでなく、音でも操作内容の報知をしているので、冷蔵庫の運転状態の変更操作が分かり易くでき、使い勝手の向上が図れる。
【００２１】
また、本発明の冷蔵庫は、運転状態選択中に誤って特殊機能選択スイッチを押してしまった場合、発音素子により警告音を発生させると共に発光素子を点灯または点滅させ、さらには表示素子にはスイッチより選択された時の表示を継続させておくことで、警告音と警告灯による誤操作であることの警告、さらに誤操作による表示内容リセットの防止を行なっているので、冷蔵庫の運転状態変更操作の誤りを防ぎ正規操作へ誘導できる。
【００２２】
また、本発明の冷蔵庫は、選択スイッチにより選択された運転状態を決定スイッチにより決定させる時、発音素子により運転状態決定音を発生させると共に発光素子を点灯または点滅させることで、決定音と決定灯による運転状態変更操作完了の報知を行なっているので、冷蔵庫の運転状態変更操作の未完了を防ぐことができる。
【発明を実施するための最良の形態】
【００２３】
請求項１に記載の発明は、冷蔵庫内を冷却する冷却ユニットと、前記冷却ユニットを運転制御するコントローラと、前記コントローラに接続された、前記コントローラの運転状態を選択および決定させる少なくとも２つ以上のスイッチを有する運転状態選択スイッチ部と、前記運転状態選択スイッチ部以外の特殊機能を選択決定する少なくとも１つ以上のスイッチを有する特殊機能選択スイッチ部と前記運転状態選択スイッチ部および特殊機能選択スイッチ部による操作内容を表示させる表示素子と、前記複数のスイッチのうちいずれかの入力があったとき操作音を発生させる発音素子とを有する表示装置を具備した冷蔵庫において、押されたスイッチによって前記発音素子より操作音の長さおよび操作音の発生する回数を個々変更するように制御するものであり、各スイッチの運転状態の変更操作が分かり易くできる。
【００２４】
請求項２に記載の発明は、請求項１に記載の発明において、前記運転状態選択スイッチ部の運転状態を選択するスイッチによりコントローラの運転状態を選択している最中に、前記特殊機能選択スイッチ部のスイッチを押した時のみ前記発音素子より警告音を発生させるように制御するものであり、操作者にスイッチ操作の変更を促すと共に正規の操作へ導くことができる。
【００２５】
請求項３に記載の発明は、請求項２に記載の発明において、前記運転状態選択スイッチ部の運転状態を選択するスイッチによりコントローラの運転状態を選択している最中に、前記特殊機能選択スイッチ部のスイッチを押した時のみ前記表示装置上に有する発光素子より警告点灯または警告点滅させるように制御するものであり、視覚的にスイッチ操作が誤りであるという警告を行ない、操作者にスイッチ操作の変更を促すと共に正規の操作へ導くことができる。
【００２６】
請求項４に記載の発明は、請求項２に記載の発明において、前記運転状態選択スイッチ部の運転状態を選択するスイッチによりコントローラの運転状態を選択している最中に、前記特殊機能選択スイッチ部のスイッチを押しても、前記表示素子の表示内容を保持しておくように制御するものであり、操作者に最初からスイッチ操作をやり直させることなく正規の操作へ導くことができる。
【００２７】
請求項５に記載の発明は、請求項１に記載の発明において、前記運転状態選択スイッチ部の運転状態を決定するスイッチにより運転状態を決定された時のみ前記発音素子より運転状態決定音を発生させるように制御するものであり、操作者に運転状態の切り替え設定完了を報知することができる。
【００２８】
請求項６に記載の発明は、請求項５に記載の発明において、前記運転状態選択スイッチ部の運転状態を決定するスイッチにより運転状態を決定された時のみ前記表示装置上に有する発光素子より運転状態決定点灯または運転状態決定点滅させるように制御するものであり、操作者に運転状態の切り替え設定完了を報知することができる。
【００２９】
以下本発明の実施の形態について、図面を参照しながら説明する。なお、この実施の形態によってこの発明が限定されるものではない。
【００３０】
（実施の形態１）
図１は本発明の実施の形態１による表示装置付き冷蔵庫のブロック図である。図２は、同実施の形態を示すフローチャートである。
【００３１】
図１において、音発生手段Ｂ３３は、運転状態選択検出判定手段２４で選択スイッチの入力であった場合発音素子２１に選択スイッチ音を発生させる。音発生手段Ｃ３４は、特殊機能選択検出判定手段２８で特殊機能選択スイッチの入力であった発合発音素子２１に特殊機能選択スイッチ音を発生させる。音発生手段Ｄ３５は、運転状態決定検出判定手段３０で決定スイッチの入力であった発合発音素子２１に決定スイッチ音を発生させるものである。
【００３２】
以上のように構成された表示装置付き冷蔵庫について、以下その動作を図２のフローチャートをもとにして説明する。
【００３３】
まず、ステップ１からステップ４とステップ１０１からステップ１０２まで従来通りである。ステップ１０３で表示素子１９にスッテプ１０３で選択された運転状態の内容を表示しステップ２０１へ進む。ステップ２０１で発音素子２１より選択スイッチ押時発生音を発生しステップ１０５へ進む。ステップ１０５では、特殊機能選択スイッチ２０が押されたかどうか判断し、特殊機能選択スイッチ２０が押されるとステップ２０２へ進み、特殊機能選択スイッチ２０が押されなければステップ１１２へ進む。ステップ２０２で発音素子２１より特殊機能選択スイッチ押時発生音を発生しステップ１０１へ戻る。ステップ１０７は従来通りである。ステップ１０８で表示素子１９にスッテプ１０７で選択された運転状態の内容を表示しステップ２０３へ進む。ステップ２０３で発音素子２１より特殊機能選択スイッチ押時発生音を発生しステップ１１０へ進む。ステップ１１０では、選択スイッチ１６が押されたかどうか判断し、選択スイッチ１６が押されるとステップ２０４へ進み、選択スイッチ１６が押されなければステップ１１２へ進む。ステップ２０４で発音素子２１より選択スイッチ押時発生音を発生しステップ１０１へ戻る。ステップ１１２では、決定スイッチ１８が押されたかどうか判断し、決定スイッチ２０が押されるとステップは従来通りである。ステップ１１３で表示素子１９にスッテプ１１２で決定された運転状態の内容を表示しステップ２０５へ進む。ステップ２０５で発音素子２１より決定スイッチ押時発生音を発生しステップ１１５へ進む。ステップ１１５は従来通りである。ステップ１１６では、選択スイッチ１６が押されたかどうか判断し、選択スイッチ１６が押されるとステップ２０６へ進み、選択スイッチ１６が押されなければステップ１１８へ進む。ステップ２０６で発音素子２１より選択スイッチ押時発生音を発生しステップ１０１へ戻る。ステップ１１８では、特殊機能選択スイッチ２０が押されたかどうか判断し、特殊機能選択スイッチ２０が押されるとステップ２０７へ進み、特殊機能選択スイッチ２０が押されなければステップ１１２へ戻る。ステップ２０７で発音素子２１より特殊機能選択スイッチ押時発生音を発生しステップ１０１へ戻る。
【００３４】
以上のように本実施の形態の表示装置付き冷蔵庫は、音発生手段Ｂ３３と音発生手段Ｃ３４と音発生手段Ｄ３５により、選択スイッチ１６と決定スイッチ１８と特殊機能選択スイッチ２０の各スイッチにおける個別の音を発生させる構成にすることにより、操作性が単純かつ分かり易くなるので誤操作を抑えることができる。
【００３５】
（実施の形態２）
図３は本発明の実施の形態１による表示装置付き冷蔵庫のブロック図である。図４は、同実施の形態を示すフローチャートである。
【００３６】
図３において、音発生手段Ｂ３６は、運転状態選択検出判定手段２４および運転状態選択検出判定手段２８で運転動作選択中の特殊機能選択スイッチ入力を検出した場合、発音素子２１に警告音を発生させるものである。
【００３７】
以上のように構成された表示装置付き冷蔵庫について、以下その動作を図２のフローチャートをもとにして説明する。
【００３８】
まず、ステップ１からステップ４とステップ１０１からステップ１０４まで従来通りである。ステップ１０５では、特殊機能選択スイッチ２０が押されたかどうか判断し、特殊機能選択スイッチ２０が押されるとステップ２０８へ進み、特殊機能選択スイッチ２０が押されなければステップ１１２へ進む。ステップ２０８で発音素子２１より特殊機能選択スイッチ押時警告音を発生しステップ１０１へ戻る。ステップ１０７からステップ１０９まで従来通りである。ステップ１１０では、選択スイッチ１６が押されたかどうか判断し、選択スイッチ１６が押されるとステップ２０９へ進み、選択スイッチ１６が押されなければステップ１１２へ進む。ステップ２０９で発音素子２１より選択スイッチ押時警告音を発生しステップ１０１へ戻る。以下従来通りである。
【００３９】
以上のように本実施の形態の表示装置付き冷蔵庫は、音発生手段Ｅ３６により、選択スイッチ１６による運転状態選択中に特殊機能選択スイッチ２０の入力であった場合、発音素子２１に警告音を発生させる構成にすることにより、誤ったスイッチを押してしまった場合は操作者に誤った操作であることを報知できるので、誤操作を抑えることができる。
【００４０】
（実施の形態３）
図５は本発明の実施の形態３による表示装置付き冷蔵庫のブロック図である。図６は、同実施の形態を示すフローチャートである。
【００４１】
図５において、発光手段Ａ３７は、運転状態選択検出判定手段２４および運転状態選択検出判定手段２８で運転動作選択中の特殊機能選択スイッチ入力を検出した場合、発光素子２３を点灯または点滅させる。
【００４２】
本実施の形態は実施の形態２による表示装置付き冷蔵庫に２３発光素子を点灯または点滅させる発光手段A３７を設けたものである。
【００４３】
以上のように構成された表示装置付き冷蔵庫について、以下その動作を図６のフローチャートをもとにして説明する。
【００４４】
まず、ステップ１からステップ４とステップ１０１からステップ１０５まで実施の形態２通りである。ステップ２０８で発音素子２１より特殊機能選択スイッチ押時警告音を発生しステップ２１０へ進む。ステップ２１０で発光素子２３より特殊機能選択スイッチ押時警告音灯を発光しステップ１０１へ戻る。ステップ１０７からステップ１１０まで実施の形態２通りである。ステップ２０９で発音素子２１より選択スイッチ押時警告音を発生しステップ２１１へ進む。ステップ２１１で発光素子２３より選択スイッチ押時警告灯を発光しステップ１０１へ戻る。以下従来通りである。
【００４５】
以上のように本実施の形態の表示装置付き冷蔵庫は、音発生手段Ｅ３６により、選択スイッチ１６による運転状態選択中に特殊機能選択スイッチ２０の入力であった場合、発光素子２３に警告灯を発光させる構成にすることにより、誤ったスイッチを押してしまった場合は操作者に誤った操作であることを報知できるので、誤操作を抑えることができる。
【００４６】
（実施の形態４）
図７は本発明の実施の形態４による表示装置付き冷蔵庫のブロック図で。図８は、同実施の形態を示すフローチャートである。
【００４７】
図７において本実施の形態は実施の形態２による表示装置付き冷蔵庫と同じ構成である。
【００４８】
以上のように構成された表示装置付き冷蔵庫について、以下その動作を図８のフローチャートをもとにして説明する。
【００４９】
まず、ステップ１からステップ４とステップ１０１からステップ１０５まで実施の形態２通りである。ステップ２０８で発音素子２１より特殊機能選択スイッチ押時警告音を発生しステップ１０３へ戻る。ステップ１０７からステップ１１０まで実施の形態２通りである。ステップ２０９で発音素子２１より選択スイッチ押時警告音を発生しステップ１０８へ戻る。以下従来通りである。
【００５０】
以上のように本実施の形態の表示装置付き冷蔵庫は、選択スイッチ１６による運転状態選択中に特殊機能選択スイッチ２０の入力であった場合、再度運転状態選択の表示を継続させる構成にすることにより、誤ったスイッチを押してしまった場合も初期画面にリセットされること無く正しい操作へ誘導できるので、誤操作を抑えることができる。
【００５１】
（実施の形態５）
図９は本発明の実施の形態５による表示装置付き冷蔵庫のブロック図である。図１０は、同実施の形態を示すフローチャートである。
【００５２】
音発生手段Ｆ３８は運転状態決定検出手段３１で運転状態決定スイッチ１９の入力を検出した場合発音素子２１に決定音を発生させるものである。
【００５３】
本実施の形態は実施の形態１による表示装置付き冷蔵庫に音発生手段C３８を設けたものである。
【００５４】
以上のように構成された表示装置付き冷蔵庫について、以下その動作を図１０のフローチャートをもとにして説明する。
【００５５】
まず、ステップ１からステップ４とステップ１０１からステップ１１２まで従来通りである。ステップ１１３で表示素子１９にスッテプ１１２で決定された運転状態の内容を表示しステップ２１２へ進む。ステップ２１２で発音素子２１より決定スイッチ押時発生音を発生しステップ１１５へ進む。以下従来通りである。
【００５６】
以上のように本実施の形態の表示装置付き冷蔵庫は、音発生手段F３８により決定スイッチ２０の入力があった場合発音素子２１に決定音を発生させる構成にすることにより、操作者に冷蔵庫の運転動作選択変更の完了を報知できるので、運転状態変更操作の未完了を防ぐことになる。
【００５７】
（実施の形態６）
図１１は本発明の実施の形態６による表示装置付き冷蔵庫のブロック図である。図１２は、同実施の形態を示すフローチャートである。以下従来通りである。
【００５８】
図９において、発光手段B３９は、運転状態決定検出手段３０で決定スイッチ２０の入力があった場合、発光素子３６を点灯または点滅させるものである。
【００５９】
本実施の形態は実施の形態５による表示装置付き冷蔵庫に発光素子２３より点灯または点滅させる発光手段B３９を設けたものである。
【００６０】
以上のように構成された表示装置付き冷蔵庫について、以下その動作を図１２のフローチャートをもとにして説明する。
【００６１】
まず、ステップ１からステップ４とステップ１０１からステップ１１３まで実施の形態５通りである。ステップ２１２で発音素子２１より決定スイッチ押時発生音を発生しステップ２１３へ進む。ステップ２１３で発光素子２３より決定スイッチ押時決定灯を発光しステップ１１５へ進む。以下従来通りである。
【００６２】
以上のように本実施の形態の表示装置付き冷蔵庫は、音発生手段Cにより運転状態決定スイッチ１９の入力があった場合発音素子２１に決定音を発生させると共に、点灯または点滅させる手段により発光素子２３を点灯または点滅させる構成にすることにより、利用者に完全に冷蔵庫の運転動作選択変更の完了を報知できるので、運転状態変更操作の未完了を防ぐことになる。
【産業上の利用可能性】
【００６３】
以上のように本発明にかかる表示装置付き冷蔵庫は、運転状態変更の誤操作を低減し、操作完了の意識付け利用者に分かり易く報知することが可能となるので、複数の操作スイッチを有する表示装置付きの家電製品等の用途にも適用できる。
【図面の簡単な説明】
【００６４】
【図１】本発明による表示装置付き冷蔵庫の実施の形態１のブロック図
【図２】同実施の形態の表示装置付き冷蔵庫の動作を示す動作を示すフローチャート
【図３】本発明による表示装置付き冷蔵庫の実施の形態２のブロック図
【図４】同実施の形態の表示装置付き冷蔵庫の動作を示す動作を示すフローチャート
【図５】本発明による表示装置付き冷蔵庫の実施の形態３のブロック図
【図６】同実施の形態の表示装置付き冷蔵庫の動作を示す動作を示すフローチャート
【図７】本発明による表示装置付き冷蔵庫の実施の形態４のブロック図
【図８】同実施の形態の表示装置付き冷蔵庫の動作を示す動作を示すフローチャート
【図９】本発明による表示装置付き冷蔵庫の実施の形態５のブロック図
【図１０】同実施の形態の表示装置付き冷蔵庫の動作を示す動作を示すフローチャート
【図１１】本発明による表示装置付き冷蔵庫の実施の形態６のブロック図
【図１２】同実施の形態の表示装置付き冷蔵庫の動作を示す動作を示すフローチャート
【図１３】従来の表示装置付き冷蔵庫のブロック図
【図１４】従来の表示装置付き冷蔵庫の圧縮機の運転を示すフローチャート
【図１５】従来の表示装置付き冷蔵庫の動作を示すフローチャート
【図１６】従来の表示装置付き冷蔵庫の表示装置ブロック図
【符号の説明】
【００６５】
１    冷蔵庫本体
８    冷却器
１４    コントローラ
１５    表示装置
１６    運転状態選択スイッチ部
１７    選択スイッチ
１８    決定スイッチ
１９    特殊機能選択スイッチ部
２０    特殊機能選択スイッチ
２１    表示素子
２２    発音素子
２３    発光素子
【図１】
2005090812.tif 000003
【図２】
2005090812.tif 000004
【図３】
2005090812.tif 000005
【図４】
2005090812.tif 000006
【図５】
2005090812.tif 000007
【図６】
2005090812.tif 000008
【図７】
2005090812.tif 000009
【図８】
2005090812.tif 000010
【図９】
2005090812.tif 000011
【図１０】
2005090812.tif 000012
【図１１】
2005090812.tif 000013
【図１２】
2005090812.tif 000014
【図１３】
2005090812.tif 000015
【図１４】
2005090812.tif 000016
【図１５】
2005090812.tif 000017
【図１６】
2005090812.tif 000018